(57)【要約】【課題】操作部内のスイッチの湯気による故障を抑制することができる巻きおしぼり製造装置を提供すること。【解決手段】ケーシング８内に、収納部２５と、送給手段２９と、切断手段３０と、散水手段３８と、成形手段４６とを設け、第一操作部１０を操作することによって、前記収納部２５内のシートロール２６から帯状のシート材２６Ａを引き出し、所定の長さに切断し、水分を含ませた後、巻きおしぼりに成形し、前記ケーシング８正面の可動パネル１７に設けられた受皿兼用蓋１９で受ける巻きおしぼり製造装置１であって、前記ケーシング８を構成するフレーム５の右側面に、操作頻度が低い第二操作部２２を設けたことで、前記第二操作部２２を、前記受皿兼用蓋１９の巻きおしぼりから放出された湯気や、取り出された前記成形手段４６から滴下した水で濡らさないようにして、前記第二操作部２２のスイッチ類を故障させないようにすることができる。【選択図】図６
2009066138.tif 000002
【特許請求の範囲】
【請求項１】
帯状のシート材を巻回したシートロールを収納する収納部と、前記シートロールから前記シート材を引き出す送給手段と、この送給手段によって送られた前記シート材を所定の長さに切断する切断手段と、この切断手段によって切断された前記シート材に水分を含ませる散水手段と、含水状態の前記シート材を巻いて巻きおしぼりを成形する成形手段とをケーシング内に設け、このケーシングの正面に操作部を設けると共に、この操作部の下方に可動パネルを設け、この可動パネルに巻きおしぼりの受皿兼用蓋を設けた巻きおしぼり製造装置において、
前記ケーシングの側面に、第二操作部を設けたことを特徴とする巻きおしぼり製造装置。
【請求項２】
前記ケーシングの側面に凹部を形成し、この凹部に前記第二操作部を設けると共に、この第二操作部を覆うように、前記凹部を開閉可能な蓋体を設けたことを特徴とする請求項１記載の巻きおしぼり製造装置。
【発明の詳細な説明】
【技術分野】
【０００１】
本発明は、所定の長さに切断されたシート材に水分を含浸させて巻くことで巻きおしぼりを成形する巻きおしぼり製造装置に関するものである。
【背景技術】
【０００２】
従来、この種の巻きおしぼり製造装置としては、タオルロール（本発明のシートロールに相当する）から帯状のシート材を引き出す送給手段と、この送給手段によって引き出された前記シート材を所定の長さに切断する切断手段と、この切断手段によって切断された前記シート材に湿り気を付与する散水手段と、湿り気を付与された前記シート材をロール状に巻き込んで巻きおしぼりを成形する成形手段とを本体（本願発明のケーシングに相当する）内に設け、この本体の正面に操作パネル（本願発明の操作部に相当する）を設けたものが知られている（例えば、特許文献１参照。）。そして、前記本体の前面パネルの正面側に、前記操作パネルが設けられていると共に、前記前面パネルの裏面側に、前記シート材の長さを設定するための長さ設定つまみ等（本願発明の第二操作部に相当する）が設けられている。なお、これらの長さ設定つまみ等は、操作頻度の低いもの、或いは、管理者だけが操作し、使用者には操作して欲しくないものである。また、成形された巻きおしぼりは、操作パネルの下方に設けられた受け皿兼用蓋上に放出される。
【特許文献１】特開２００５−９５２７３号公報
【発明の開示】
【発明が解決しようとする課題】
【０００３】
しかしながら、このような巻きおしぼり製造装置においては、前記シート材を湯によって湿らせる場合、前記受け皿兼用蓋上の巻きおしぼりから湯気が上昇して、前記正面パネルの裏面に設けられた前記長さ設定つまみ等に結露して湿らせてしまうことで、前記長さ設定つまみ等によって操作されるスイッチ類を故障させてしまう虞があった。また、前面パネルを開いて前記成形手段の少なくとも一部を取り出すことのできる構造も知られているが、前記成形手段の少なくとも一部を取り出す際に、この成形手段に付着した水滴が前記長さ設定つまみ等に落下して濡らしてしまうことで、これら長さ設定つまみ等によって操作されるスイッチ類を故障させてしまう虞があった。このようなことは、透湿性のないシートで覆うことができるプッシュスイッチを用いる場合であれば問題となりにくいが、ロータリースイッチ等、低コストで防湿構造にすることが難しいスイッチを用いる場合では、問題となる虞があった。
【０００４】
本発明は以上の問題点を解決し、操作部内のスイッチの水滴による故障を抑制することができる巻きおしぼり製造装置を提供することを目的とする。
【課題を解決するための手段】
【０００５】
本発明の請求項１に記載の巻きおしぼり製造装置は、帯状のシート材を巻回したシートロールを収納する収納部と、前記シートロールから前記シート材を引き出す送給手段と、この送給手段によって送られた前記シート材を所定の長さに切断する切断手段と、この切断手段によって切断された前記シート材に水分を含ませる散水手段と、含水状態の前記シート材を巻いて巻きおしぼりを成形する成形手段とをケーシング内に設け、このケーシングの正面に操作部を設けると共に、この操作部の下方に可動パネルを設け、この可動パネルに巻きおしぼりの受皿兼用蓋を設けた巻きおしぼり製造装置において、前記ケーシングの側面に、第二操作部を設けたものである。
【０００６】
また、本発明の請求項２に記載の巻きおしぼり製造装置は、請求項１において、前記ケーシングの側面に凹部を形成し、この凹部に前記第二操作部を設けると共に、この第二操作部を覆うように、前記凹部を開閉可能な蓋体を設けたものである。
【発明の効果】
【０００７】
本発明の請求項１に記載の巻きおしぼり製造装置は、以上のように構成することにより、前記散水手段によって湯で湿らされたシート材を前記成形手段によって巻くことで成形された巻きおしぼりから湯気が放出されたとしても、前記巻きおしぼりが受けられる前記受皿兼用蓋の直上に第二操作部が位置しないので、湯気を前記第二操作部に結露させないようにして、この第二操作部に設けられたスイッチ類を故障させないようにすることができる。また、メンテナンスのために、可動パネルを開いて前記成形手段の少なくとも一部を取り出す場合であっても、前記成形手段から水滴が滴下しても、前記第二操作部を濡らすことがないので、この第二操作部に設けられたスイッチ類を故障させないようにすることができる。
【０００８】
また、前記ケーシングの側面に形成された凹部に前記第二操作部を設け、この第二操作部を覆うように前記凹部を開閉可能な蓋体を設けたことで、巻きおしぼりから放出された湯気が前記第二操作部に触れることを、前記蓋体によって妨げることができるので、第二操作部に設けられたスイッチ類を故障させないようにすることができる。
【発明を実施するための最良の形態】
【０００９】
以下、本発明の実施形態について、図１乃至図７に基づいて説明する。１は本発明の巻きおしぼり製造装置である。この巻きおしぼり製造装置１は、本体２と、この本体２の左側面に対して着脱自在に取り付けられる左パネル３と、前記本体の右側面に対して着脱自在に取り付けられる右パネル４とを有して構成されている。また、前記本体２は、フレーム５と、このフレーム５の正面上部に設けられた正面パネル６と、背面パネル７とを有して構成されている。なお、前記正面パネル６は、前記フレーム５に固定されている。そして、前記フレーム５及びこのフレーム５の前後左右に取り付けられる前記各パネル３，４，６，７によって、ケーシング８が構成されている。また、前記本体２のフレーム５の上部は開口しており、この開口を塞ぐための上蓋体９が、前記フレーム５の上部に着脱自在に取り付けられている。
【００１０】
前記正面パネル６には第一操作部１０が設けられている。そして、この第一操作部１０には、供給ボタン１１と、巻きおしぼりの本数を設定する設定ボタン１２，１３と、巻きおしぼりの本数を表示する表示手段１４と、後述するヒータ４３への通電を示すと共に後述する加熱タンク４２内の水温が適温になったことを示す表示手段１５と、動作エラー等を示すための表示手段１６とが設けられている。また、前記フレーム５の正面下部で且つ前記正面パネル６の下方には、可動パネル１７が取り付けられていると共に、この可動パネル１７の開口部１８に、受皿兼用蓋１９が開閉自在に取り付けられている。なお、前記可動パネル１７は、前記フレーム５に対して、その下端近傍に設けられた図示しない回動軸を中心として回動可能に枢支されている。また、前記受皿兼用蓋１９は、その下方に設けられた回動軸２０を中心として、前記可動パネル１７に対して回動可能に枢支されている。また、前記本体２のフレーム５の底面には、複数の足２１が取り付けられている。また、前記フレーム５の右側面の前上部には、第二操作部２２が設けられている。この第二操作部２２には、調節や切り替え等の用途のための、比較的使用頻度の低いスイッチや摘み等が設けられている。更に、前記フレーム５の右側面の前下部には、電源スイッチ２３が設けられている。
【００１１】
前記フレーム５の上部前方には、ロールホルダ２４を収納するための収納部２５が形成されている。なお、この収納部２５は、前記上蓋体９を取り外すことによって開放される。そして、前記ロールホルダ２４には、帯状の不織布シート材２６Ａを巻回したシートロール２６が保持される。
【００１２】
また、前記フレーム５における前記収納部２５の後方には、送給切断ユニット２７が固定されている。この送給切断ユニット２７は、フレーム２８と、このフレーム２８の上部に設けられた送給手段２９と、前記フレーム２８の下部に設けられた切断手段３０と、前記送給手段２９を通過した前記シート材２６Ａを、前記切断手段３０を経由して後述する成形手段４６に案内するガイド部材３１とを有して構成されている。そして、前記送給手段２９は、前記フレーム２８に取り付けられた電動機３２と、ギア等を介して前記電動機３２によって回転させられるローラ３３と、図示しないバネによって前記ローラ３３の方向に付勢される押さえ部材３４とを有して構成されている。なお、この押さえ部材３４は、前記上蓋体９を取り外すことによって開放される。また、前記切断手段３０は、前記フレーム２８に取り付けられた電動機３５と、ギア等を介して前記電動機３５によって回転させられる可動刃３６と、図示しないバネによって前記フレーム２８に対して弾性的に支持される固定刃３７とを有して構成されている。なお、前記フレーム５の左側面には、前記ガイド部材３１の下部を開放するように、開口部５Ａが形成されている。
【００１３】
前記フレーム５における送給切断ユニット２７の後方には、前記切断手段３０によって所定の長さに切断された前記シート材２６Ａに水分を含ませるための散水手段３８が設けられている。この散水手段３８は、収納部３９と、この収納部３９に着脱自在に挿入される水タンク４０と、この水タンク４０内の水を下流側に送るポンプ４１と、このポンプ４１によって送られた水を貯める加熱タンク４２と、この加熱タンク４２内の水を温めるヒータ４３と、前記加熱タンク４２から送られた温水の経路を切り替える切替弁４４と、前記加熱タンク４２から送られた温水を切断された前記シート材２６Ａに供給する散水ノズル４５とを有して構成されている。なお、前記収納部３９は、前記上蓋体９を取り外すことによって開放される。また、前記散水ノズル４５は、前記ガイド部材３１よりも前方に位置すると共に、このガイド部材３１を挟んで、前記シート材２６Ａの反対側に位置する。更に、前記散水ノズル４５は、後述する摩擦パッド５３よりも後方に位置する。
【００１４】
前記フレーム５における前記収納室２５及び送給切断ユニット２７の下方には、前記切断手段３０によって所定の長さに切断されると共に前記散水手段３８によって含水状態とされた前記シート材２６Ａを巻いて巻きおしぼりを成形する成形手段４６が設けられている。この成形手段４６は、前記フレーム５に固定された電動機４７と、前記フレーム５に対して着脱自在に取り付けられた従動カセット４８とを有して構成されている。なお、この従動カセット４８は、前記可動パネル１７を開くことで、前記フレーム５に対して着脱可能となる。そして、前記従動カセット４８は、フレーム４９と、一対の大ローラ５０，５１と、これら一対の大ローラ５０，５１間に架け渡された無端ベルト５２と、この無端ベルト５２の上面と対向して設けられた摩擦パッド５３と、前記無端ベルト５２の上面側で且つ前記摩擦パッド５３の前方に設けられた一対の小ローラ５４，５５と、これら一対の小ローラ５４，５５間に架け渡されると共に前記無端ベルト５２の上面と対向して設けられた無端ベルト５６とを有して構成されている。なお、後側の前記小ローラ５５は、ギア等を介して前記電動機４７によって回転させられると共に、前側の前記大ローラ５０は、図示しない伝達ベルトを介して、前記小ローラ５５の回転に伴って回転する。なお、前記無端ベルト５２は、前記シート材２６Ａの幅よりもやや広く形成されていると共に、前記無端ベルト５６は、前記シート材２６Ａの幅よりも細く形成されており、これらの細い無端ベルト５６が、前記小ローラ５４，５５間に複数並列に架け渡されている。また、前側の前記小ローラ５４は、下方に付勢された状態で、上下方向に移動可能となるように、前記フレーム４９に対して取り付けられている。また、前記無端ベルト５２と無端ベルト５６は、それぞれ同じ方向に回転するように構成されている。従って、対向する前記無端ベルト５２の上面と前記無端ベルト５６の下面は、それぞれ逆方向に動くことになる。更に、前記従動カセット４８は、前記無端ベルト５２の移動速度が前記無端ベルト５６の移動速度よりも速くなるように構成されている。
【００１５】
前記左パネル３は、前記本体２を構成する前記フレーム５の左側面に対して着脱自在に取り付けられている。そして、前記左パネル３には、この左パネル３を前記フレーム５の左側面に取り付けた状態で、前記開口部５Ａと対応する開口部３Ａが形成されている。従って、前記開口部３Ａ及び開口部５Ａを介して、前記送給切断ユニット２７の下部（即ち前記切断手段３０の下方）及び前記成形手段４６の後部を露出させることができる。更に、前記開口部３Ａには、これを閉塞するための左蓋体５７が取り付けられている。なお、前記左蓋体５７は、前記開口部３Ａに対して取り外し可能に構成されている。
【００１６】
前記右パネル４は、前記本体２を構成する前記フレーム５の右側面に対して着脱自在に取り付けられている。そして、前記右パネル４には、この右パネル４を前記フレーム５の右側面に取り付けた状態で、前記第二操作部２２と対応する開口部４Ａが形成されていると共に、前記電源スイッチ２３と対応する開口部４Ｂが形成されている。従って、前記開口部４Ａを介して、前記第二操作部２２を露出させることができると共に、前記開口部４Ｂを介して、前記電源スイッチ２３を露出させることができる。なお、前記開口部４Ａには、その全周に亘って内側に突出する図示しないリブが形成されており、このリブが前記第二操作部２２の周囲に当接することによって、この第二操作部２２は、前記右パネル４の表面に対して凹部４Ｃとなる個所に設けられることになる。更に、前記開口部４Ａには、これを閉塞するための右蓋体５８が取り付けられている。なお、前記右蓋体５８は、前記開口部４Ａの後側に枢支されている。
【００１７】
次に、本実施形態の作用について説明する。まず管理者は、前記巻きおしぼり製造装置１を設置する。そして、この設置された巻きおしぼり製造装置１の上蓋体９を取り外す。更に、前記収納部３９から前記水タンク４０を取り出し、この水タンク４０内に水を入れ、再び前記収納部３９に挿入する。そして、前記収納部２５から前記ロールホルダ２４を取り出し、このロールホルダ２４に前記シートロール２６を保持させ、このシートロール２６が保持された前記ロールホルダ２４を再び前記収納部２５に挿入する。この状態で、前記電源スイッチ２３をＯＮにする。
【００１８】
そして、管理者は、前記右蓋体５８を開いて前記第二操作部２２を露出させ、この第二操作部２２に設けられた前記ポンプ４１を強制作動させるためのスイッチを操作して、前記水タンク４０内の水が、前記加熱タンク４２内、更には、前記散水ノズル４５内を満たした状態とする。そして、温かい巻きおしぼりを得たい場合、前記第二操作部２２に設けられた前記ヒータ４３に通電させるためのスイッチをＯＮにし、冷たい巻きおしぼりを得たい場合、前記スイッチをＯＦＦにする。また、複数の巻きおしぼりを自動的に得たい場合、前記第二操作部２２に設けられた単独／連続の切替スイッチを「連続」に切り替え、巻きおしぼりを一本ずつ得たい場合、前記切替スイッチを「単独」に切り替える。また、動作中にブザーを鳴らしても構わない場合、前記第二操作部２２に設けられたブザーのスイッチをＯＮにし、ブザーを鳴らしたくない場合、前記スイッチをＯＦＦにする。更に、前記第二操作部２２に設けられた長さ調節ダイヤルを操作することで、巻きおしぼりを構成する前記シート材２６Ａの長さを調節すると共に、水量調節ダイヤルを操作することで、前記シート材２６Ａへの散水量を調節することができる。なお、前記第二操作部２２に設けられたこれらのスイッチ類は、管理者が操作したり設定した後は、使用者が操作する必要のないものである。
【００１９】
そして、管理者は、前記シートロール２６から前記シート材２６Ａを引き出し、前記押さえ部材３４を持ち上げて、この押さえ部材３４と前記ローラ３３との間に前記シート材２６Ａの先端を挟む。このように、前記シート材２６Ａの先端を前記ローラ３３と押さえ部材３４とで挟むと、前記電動機３２が作動して前記ローラ３３が回転し、前記シート材２６Ａを、その先端が前記可動刃３６及び固定刃３７の高さ位置に達するまで送る。この際、前記シート材２６Ａは、前記ガイド部材３１によって案内されると共に、その先端部が、前記可動刃３６と固定刃３７との間に位置する。以上の操作が終了したら、管理者は、前記上蓋体９を再び前記フレーム５の上部に取り付け、前記受皿兼用蓋１９を開く。以上により、使用者が使用する準備が完了する。なお、温かい巻きおしぼりを得る場合、前記表示手段１５の表示内容によって、前記巻きおしぼり製造装置１が使用可能な状態かどうか知ることができる。
【００２０】
次に、使用者は、必要な巻きおしぼりの本数を前記第一操作部１０に設けられた設定ボタン１２，１３を用いて設定し、前記供給ボタン１１を押すことで、必要な本数の巻きおしぼりが成形され、前記受皿兼用蓋１９上に排出される。なお、前記設定ボタン１２，１３は、単独モード時は無効である。
【００２１】
単独モードにおける前記巻きおしぼりの製造工程について説明する。冷たい巻きおしぼりを得る場合、前記切替弁４４は、前記加熱タンク４２と散水ノズル４５とを接続した状態となる。そして、使用者が前記供給ボタン１１を押すと、前記電動機３２，４７及びポンプ４１が同時に作動を開始する。そして、前記電動機３２の作動によって前記ローラ３３が回転し、このローラ３３の回転によって、このローラ３３と前記押さえ部材３４とで挟まれた前記シート材２６Ａが、前記ガイド部材３１によって案内されて下方に送られる。同時に、前記電動機４７の作動によって、前記小ローラ５５及びこれと連動する大ローラ５０が回転し、これらの大ローラ５０及び小ローラ５５の回転によって、前記無端ベルト５２及び５６が回転する。なお、前記ローラ３３による前記シート材２６Ａの送給速度と、前記無端ベルト５２の移動速度は同じである。更に同時に、前記ポンプ４１の作動によって、前記水タンク４０内の水が前記加熱タンク４２内に送られ、この水に押し出される形で、前記加熱タンク４２内の温められていない水が、前記切替弁４４を経て前記散水ノズル４５に送られ、この散水ノズル４５から、前記無端ベルト５２上で且つ前記散水ノズル４５の下方に送られた前記シート材２６Ａに噴射される。これによって、前記シート材２６Ａは、含水状態となる。
【００２２】
一方、温かい巻きおしぼりを得る場合、前記切替弁４４は、前記加熱タンク４２と収納部３９とを接続した状態となる。そして、使用者が前記供給ボタン１１を押すと、前記ポンプ４１のみが作動する。このような状態で前記ポンプ４１が作動することで、前記水タンク４０内の水が前記加熱タンク４２内に送られ、この水に押し出される形で、前記加熱タンク４２内の水が、前記切替弁４４を経て前記収納部３９に戻ることになる。そして、前記加熱タンク４２と切替弁４４との間に溜まった水が入れ替わるのに充分な時間が経過した後、前記加熱タンク４２と散水ノズル４５とを接続するように、前記切替弁４４が切り替えられる。これによって、前記加熱タンク４２内の温水が、前記切替弁４４を経由して、前記散水ノズル４５に達することになる。そして、前記切替弁４４が切り替わるのと同時に、前記電動機３２及び４７が作動を開始する。前記電動機３２の作動によって前記ローラ３３が回転し、このローラ３３の回転によって、このローラ３３と前記押さえ部材３４とで挟まれた前記シート材２６Ａが、前記ガイド部材３１によって案内されて下方に送られる。同時に、前記電動機４７の作動によって前記小ローラ５５及びこれと連動する大ローラ５０が回転し、これらの大ローラ５０及び小ローラ５５の回転によって、前記無端ベルト５２及び５６が回転する。なお、この場合も、前記ローラ３３による前記シート材２６Ａの送給速度と、前記無端ベルト５２の移動速度は同じである。更に同時に、前記ポンプ４１の作動によって、前記水タンク４０内の水が前記加熱タンク４２内に送られ、この水に押し出される形で、前記加熱タンク４２内の温水が、前記切替弁４４を経て前記散水ノズル４５に送られ、この散水ノズル４５から、前記無端ベルト５２上で且つ前記散水ノズル４５の下方に送られた前記シート材２６Ａに噴射される。これによって、前記シート材２６Ａは、含水状態となる。なお、前記シート材２６Ａが前記ガイド部材３１の後方を通過すると共に、前記散水ノズル４５が前記ガイド部材３１の前方に位置するため、前記散水ノズル４５から噴射された水又は温水が前記ガイド部材３１よりも後方の前記シート材２６Ａを濡らすことがないので、前記ガイド部材３１に濡れた前記シート材２６Ａが貼り付いて前記シート材２６Ａの送給が妨げられるということがない。
【００２３】
そして、前記シート材２６Ａの先端が前記摩擦パッド５３と無端ベルト５２との間に達すると、前記摩擦パッド５３とシート材２６Ａの上面側とが接することで、このシート材２６Ａの上面側に、摩擦によって止まろうとする力が働くのに対し、前記シート材２６Ａの下面側に、前記無端ベルト５２と共に移動する力が働くことによって、前記シート材２６Ａの先端を捲れさせる。また、前述した第二操作部２２によって設定された長さの前記シート材２６Ａが送給されたことを検知すると、前記電動機３２が停止して前記シート材２６Ａの送給を停止すると共に、前記電動機３５が作動して、前記可動刃３６を回転させる。この際、前記シート材２６Ａは、前記可動刃３６と固定刃３７とで挟まれた後、更に前記可動刃３６が回転することで、剪断される。更に、前記シート材２６Ａの捲れた先端が前記無端ベルト５２の上面と前記無端ベルト５６の下面との間に達すると、それぞれ逆方向に移動する前記無端ベルト５２の上面と前記無端ベルト５６の下面とで、前記シート材２６Ａが強く巻き付けられる。この際、前述したように、前記無端ベルト５２の移動速度が前記無端ベルト５６の移動速度よりも速いことで、前記シート材２６Ａによって成形される巻きおしぼりは、前記無端ベルト５２の移動速度よりも遅い速度で、前方に移動する。また、この際、前記シート材２６Ａが巻かれることで、成形される巻きおしぼりの直径が徐々に大きくなってゆくが、前述したように、前側の前記小ローラ５４が下方に付勢された状態で上下方向に移動可能であるので、成形される巻きおしぼりの直径が大きくなるのに従って、前記小ローラ５４が上方に移動して、前記無端ベルト５２の上面と前記無端ベルト５６の下面との間隔を拡げる。そして、このように前記無端ベルト５２の上面と前記無端ベルト５６の下面との間隔を拡げながら、成形された巻きおしぼりが前方に移動し、前記無端ベルト５２の前端から前記受皿兼用蓋１９上に排出される。
【００２４】
なお、前記シート材２６Ａは、前記第二操作部２２によって設定された長さによっては、前記シート材２６Ａの捲れた先端が前記無端ベルト５２の上面と前記無端ベルト５６の下面との間に達した後で、或いは、前記シート材２６Ａの先端が巻かれながら前進している途中で、前記切断手段３０によって切断されることになる。また、前記散水手段３８のポンプ４１は、前記第二操作部２２によって設定された長さに対応する時間作動した後、停止する。更に、温かい巻きおしぼりを得る場合、前記切替弁４４は、前記加熱タンク４２と収納部３９とを接続した状態に切り替えられる。
【００２５】
なお、連続モード時には、前記設定ボタン１２，１３によって設定されると共に前記表示手段１４に表示された本数の巻きおしぼりが前記受皿兼用蓋１９上に排出されるまで、以上の動作を繰り返す。但し、連続モード時には、前記切替弁４４は、最後の巻きおしぼりを成形する前記シート材２６Ａに水又は温水を噴射し終わるまで、前記加熱タンク４２と散水ノズル４５とを接続した状態を保つ。
【００２６】
なお、この種の巻きおしぼり製造装置１では、前記成形手段４６において、前記シート材２６Ａが前記無端ベルト５２と共に上手く送られず、前記成形手段４６に前記シート材２６Ａを詰まらせてしまうことが生じ得る。良くあるケースとして、前記シート材２６Ａが前記ガイド部材３１の後方で塊状になり、前記シート材２６Ａが前記ガイド部材３１よりも前方に移動できなくなるということがある。このような場合、前記左蓋体５７を前記左パネル３の開口部３Ａから取り外し、前記フレーム５の開口部５Ａから、前記送給切断ユニット２７の下部（特に、前記切断手段３０の下方に位置する前記ガイド部材３１の下部後方）及び前記成形手段４６の後部を露出させる。なお、図５においては、前記成形手段４６は見えないが、実際には、斜め上方から見ることで、前記成形手段が露出されている。この状態で、管理者又は使用者が、前記開口部３Ａ及び５Ａから前記ケーシング８内に手を挿入し、詰まった前記シート材２６Ａを掴んで前記開口部３Ａ及び５Ａから引き出すことで、前記シート材２６Ａの詰まりを解消させることができる。なお、前記左蓋体５７が前記左パネル３から完全に離れるので、管理者又は使用者が前記開口部３Ａ及び５Ａから前記ケーシング８内に手を挿入する際、この手が前記左蓋体５７に触れることがないので、前記左蓋体５７が邪魔にならず、詰まった前記シート材２６Ａを取り除きやすくすることができる。そして、詰まった前記シート材２６Ａを取り除いた後、再び前記左蓋体５７を前記開口部３Ａに取り付けて、この開口部３Ａを塞ぐ。
【００２７】
また、頻度の少ないケースとして、前記シート材２６Ａが前記無端ベルト５２と摩擦パッド５３の間、或いは前記無端ベルト５２と無端ベルト５６との間で詰まることがある。このような場合、管理者は前記可動パネル１７を開いて前記従動カセット４８を前記本体２から引き出し、詰まった前記シート材２６Ａを前記従動カセット４８から取り除く。そして、前記従動カセット４８から詰まった前記シート材２６Ａを取り除いた後、前記従動カセット４８を再び前記本体２内に挿入すると共に、再び前記可動パネル１７を閉じることで、再び巻きおしぼりの成形が可能な状態となる。
【００２８】
また、温かい巻きおしぼりを成形する場合、前記受皿兼用蓋１９上に排出された巻きおしぼりから湯気が放出されて上昇する。これは、連続モードで多くの巻きおしぼりを得る場合、顕著である。しかしながら、湿気に弱い前記第二操作部２２は、前述したように、受皿兼用蓋１９の直上ではなく、前記前記フレーム５の右側面の前上部に位置しており、更に、前記右パネル４の開口部４Ａが構成する前記凹部４Ｃ内に位置して前記右蓋体５８によって塞がれていることから、前記巻きおしぼりから放出されて上昇した湯気が前記第二操作部２２で結露して各種スイッチや摘みを濡らすことがなく、これらのスイッチ類を故障させないようにすることができる。なお、前記受皿兼用蓋１９の直上に位置する前記第一操作部１０は、この第一操作部１０を構成する前記設定ボタン１２，１３及び表示手段１４，１５，１６の表面が透湿性のないシートで覆われていることで防湿構造となっていると共に、前記供給ボタン１１の内側も防湿構造となっていることによって、全体として防湿構造になっている。このため、前記第一操作部１０の表面で前記巻きおしぼりから放出された湯気が結露したとしても、前記第一操作部１０に設けられたスイッチ類が故障したりすることがない。
【００２９】
更に、メンテナンス等の目的で、前記可動パネル１７を開いて、前記フレーム５内から前記成形手段４６の従動カセット４８を取り出す際に、巻きおしぼりを成形した際に前記シート材２６Ａから絞り出されて前記従動カセット４８の無端ベルト５２等に付着したままの水滴が滴下する虞がある。しかしながら、このような水滴が滴下したとしても、前記従動カセット４８の下方に前記第二操作部２２が位置しないので、このような水滴が前記第二操作部２２の各種スイッチや摘みを濡らすことがなく、これらのスイッチ類を故障させないようにすることができる。
【００３０】
以上のように、本発明の巻きおしぼり製造装置１は、ケーシング８内に、収納部２５と、送給手段２９と、切断手段３０と、散水手段３８と、成形手段４６とを設け、第一操作部１０を操作することによって、前記送給手段２９によって前記収納部２５に収納されたシートロール２６から帯状のシート材２６Ａを引き出し、このシート材２６Ａを前記切断手段３０によって所定の長さに切断し、前記散水手段３８によって水分を含ませた後、前記成形手段４６によって巻きおしぼりに成形し、前記ケーシング８の正面に設けられた受皿兼用蓋１９で受ける巻きおしぼり製造装置１であって、前記ケーシング８を構成するフレーム５の右側面に、操作頻度が低い第二操作部２２を設けたことで、前記受皿兼用蓋１９によって受けられた前記巻きおしぼりの直上に前記第二操作部２２が位置しないので、巻きおしぼりから湯気が放出されたとしても、この湯気を前記第二操作部２２に結露させないようにして、この第二操作部２２に設けられたスイッチ類を防湿構造にすることなく故障させないようにすることができる。また、前記可動パネル１７を開いて、前記成形手段４６の従動カセット４８を取り出す際に水滴が滴下したとしても、このような水滴が前記第二操作部２２の各種スイッチや摘みを濡らすことがなく、これらのスイッチ類を故障させないようにすることができる。
【００３１】
また、本発明の巻きおしぼり製造装置１は、前記ケーシング８の右側面を構成する右パネル４に凹部４Ｃを形成し、この凹部４Ｃ内に前記第二操作部２２を設けると共に、この第二操作部２２を覆うように、前記凹部４Ｃを開閉可能な蓋体５８を設けたことで、巻きおしぼりから放出された湯気が前記第二操作部２２に触れることを、前記蓋体５８によって妨げることができるので、前記第二操作部に２２設けられたスイッチ類をより確実に故障させないようにすることができる。
【００３２】
なお、本発明は以上の実施形態に限定されるものではなく、発明の要旨の範囲内で種々の変形実施が可能である。例えば、上記実施形態では、前記凹部が前記ケーシングを構成するフレームの右側面に設けられているが、前記ケーシングを構成するフレームの左側面に設けても良い。
【図面の簡単な説明】
【００３３】
【図１】本発明の一実施例を示す巻きおしぼり製造装置の正面図である。
【図２】同、平面図である。
【図３】同、左側面図である。
【図４】同、右側面図である。
【図５】同、左蓋体を取り外した状態の左側面図である。
【図６】同、右蓋体を開いた状態の右側面図である。
【図７】同、内部構造を示す概略説明図である。
【符号の説明】
【００３４】
１  巻きおしぼり製造装置
４Ｃ  凹部
８  ケーシング
１０  第一操作部
１７  可動パネル
１９  受皿兼用蓋
２２  第二操作部
２５  収納部
２９  送給手段
３０  切断手段
３８  散水手段
４６  成形手段
５８  右蓋体
【図１】
2009066138.tif 000003
【図２】
2009066138.tif 000004
【図３】
2009066138.tif 000005
【図４】
2009066138.tif 000006
【図５】
2009066138.tif 000007
【図６】
2009066138.tif 000008
【図７】
2009066138.tif 000009